(57)【特許請求の範囲】
【請求項１】
動力伝達手段によって互いに連動する供給リールと巻取りリールをケース内に配置し、前記供給リールから繰り出される塗布膜転写テープを前記ケースより突出する塗布膜転写ヘッドで被転写面に押圧しながら移動させて転写済のテープとして前記巻取りリールに巻き取らせるようにした塗布膜転写具の塗布膜転写ヘッドにおいて、前記塗布膜転写テープを前記被転写面に先端縁において押圧する押圧片と、該押圧片の両端に連設して前記巻取りリールによるテープ巻取り方向側の片面側において相対し、しかも、先端が前記先端縁より前方に突出する案内片とで構成した、塗布膜転写具の塗布膜転写ヘッド。
【発明の詳細な説明】
【０００１】
【産業上の利用分野】
本発明は、動力伝達手段によって互いに連動する供給リールと巻取りリールをケース内に配置し、前記供給リールから繰り出される塗布膜転写テープを前記ケースより突出する塗布膜転写ヘッドで被転写面に押圧しながら移動させて転写済のテープとして前記巻取りリールに巻き取らせるようにした塗布膜転写具の前記塗布膜転写ヘッドに関するものである。
【０００２】
【従来の技術】
例えば、特開平９−２７２４号公報所載のように、塗布膜転写テープを被転写面に先端縁において押圧する押圧片に該押圧片を支持するための支持片と相対して連設して構成し、前記先端縁において被転写面に転写させた転写済のテープを押圧片の外面に沿うように移動させながら巻取りリールに巻取らせるようになっている。
【０００３】
【発明が解決しようとする課題】
要するに前記従来例は、被転写面に転写する押圧片の先端位置から転写済のテープとして巻取りリールに巻取られる間に、該テープの幅方向の移動の規制が必ずしも円滑に行われない構造となっている。
【０００４】
すなわち、塗布膜転写具は、塗布膜転写ヘッド（押圧片の先端縁）で塗布膜転写テープを被転写面に押圧しながら移動させて転写済のテープとして巻取りリールに巻き取らせるのであるが、このとき、テープに常にテンションがかかっていることが望ましいのであるが、何等かの原因でテンションが緩み、テープが弛むことがある。
【０００５】
そして、この弛みにより、転写済テープと転写ヘッド（押圧片の先端縁）との間で転写済テープ（乃至押圧片）の幅員方向において位置ずれが生じ、塗布膜転写作業に支障を来たす。
【０００６】
本発明は、例えば、斯様な従来例の欠点に着目し、塗布膜転写テープとの間に幅員方向の位置ずれを可及的に防ぐことのできる塗布膜転写ヘッドを提供することを目的とするものである。
【０００７】
【課題を解決するための手段】
動力伝達手段によって互いに連動する供給リールと巻取りリールをケース内に配置し、前記供給リールから繰り出される塗布膜転写テープを前記ケースより突出する塗布膜転写ヘッドで被転写面に押圧しながら移動させて転写済のテープとして前記巻取りリールに巻き取らせるようにした塗布膜転写具の塗布膜転写ヘッドにおいて、前記塗布膜転写テープを前記被転写面に先端縁において押圧する押圧片と、該押圧片の両端に連設して前記巻取りリールによるテープ巻取り方向側の片面において相対し、しかも、先端が前記先端縁より前方に突出する案内片とで構成したものである。
【０００８】
【作用】
押圧片の先端縁を、該先端縁で供給リールから繰り出される塗布膜転写テープを被転写面に押圧しながら移動させると、塗布膜は被転写面に転写され、転写済のテープは巻取りリールに巻取られる。
【０００９】
そして、何等かの原因で生じた弛みによってテープが転写ヘッドより外れようとするが、転写ヘッドの案内片がこれを規制する。
【００１０】
【実施例】
図面は本発明に係る塗布膜転写具の塗布膜転写ヘッドの一実施例を示し、図１は一部欠截正面図、図２は図１の一部拡大図、図３は転写ヘッドの正面図、図４は図３のｘ−ｘ線断面図、図５は図１の断面図、図６は供給リールを組付ける前の一部欠截正面図、図７は転写ヘッドと芯材を取り外して示した一部欠截正面図、図８は転写テープと供給リールの関係を示す斜視図である。
【００１１】
図中、１は蓋枠２と共にケースＡを構成する基枠で、基枠１に筒状の第一支軸３と筒状の第二支軸４およびこれら支軸３，４間に介在させた、同じく筒状の第三支軸５を突設し、第一支軸３には従動歯車６のボス兼用の巻取りリール７を回動自在に組付け、該巻取りリール７の外側には、前記第一支軸３と同心円上にして、第一支軸３乃至巻取りリール７を部分的に取り囲むようにして前記基枠１に突設した、複数個の円弧上の案内部片８，８，８を突設し、この案内部片８，８，８に該案内部片８を内側に配するようにしてほぼリング上の回動片９を回動自在に係合し、該回動片９の一端に転写ヘッド１０を突設してある。
【００１２】
なお、回動片９に係止部片９ａを設け、該係止部片９ａを、基枠１に前記第一支軸３等と同方向にして突設した断面ややＬ字形の補強片１１の立ち上り部片１１ａに設けた透孔１２に、前記巻取りリール７による使用済の塗布膜転写テープａの巻取り方向と反対方向にのみ係止させるようにして、回動片９を図３の矢印方向にのみ３６０°回動できるようにしてある。
【００１３】
すなわち、回動片９は、塗布膜転写操作時（基枠１と蓋枠２を互いに組付けてケースＡとした時）には、前記転写ヘッド１０側の部片９´が、蓋枠２の先端側に設けた切欠２５に係合して、時計回りおよび反時計回り方向に係らず、その回動が規制されるが、基枠１より蓋枠２を取り外した時（概して、塗布膜転写テープａの装填時）は、蓋枠２による規制が解除されて、巻取りリール７による転写テープａの巻取り方向（図３にあっては時計回り方向）にのみ回動（３６０°）できるようにしてある。
【００１４】
前記巻取りリール７の軸線方向の先端側には、前記第一支持筒２を介して相対する位置にして一対の受入凹部１３，１３を設け、該受入凹部１３，１３に前記塗布膜転写テープａの先端に接続した（取付けた）コ形状の取付け片１４の脚部片１４ａ，１４ａを係合して、該取付け片１４を巻取りリール７に取り外し可能に組付けられるようにしてある。
【００１５】
前記転写ヘッド１０は、回動片９の前記部片９´の外縁のほぼ中央に、前記塗布膜転写テープａの幅員よりやや広くして腕状にして突出させた押圧片１５と、該押圧片１５の先端縁１５ａより先端１６ａが前方に突出する一対の案内片１６，１６で成り、該案内片１６，１６は全体として正面視やや三角形板で構成して、前記押圧片１５，１５の先端縁１５ａ側（基部を残して）の両端に連設したもので、少くとも前記押圧片１５の、前記巻取りリール７によるテープ巻取り方向側の片面１５´側において相対するように配置してある。
【００１６】
なお、幅員方向の両端に案内片１６，１６の連設を省略した押圧片１５の基部は、素材（樹脂）の性質により弾性変形し、この弾性変形により被転写面に対し９０°の角度位置まで塗布膜の転写が行えるようになっている。
【００１７】
前記第三支軸５には、第一支軸３に組付けた前記従動歯車６および第二支軸４に組付けた駆動歯車１７とかみ合う仲介歯車１８を回動自在に組付けてある。
【００１８】
前記駆動歯車１７はボス部１７ａにおいて前記第二支軸４に回動自在に組付け、前記ボス部１７ａを取り囲むようにして該ボス部１７ａと同心円上の外円筒部１７ｂを備えたもので、外円筒部１７ｂとボス部１７ａ間には、ボス部１７ａにその外側において回動可能に組付けた芯筒部１９ａと該芯筒部１９ａの周端に突設したばね性の圧接部片１９ｂ，１９ｂ，１９ｂ，１９ｂとから成る芯材１９を組付けてある。
【００１９】
芯材１９は、駆動歯車１７の外円筒部１７ｂの内周面に弾性の前記圧接部片１９ｂが圧接することにより、駆動歯車１７側からの回動力が伝達されて回動するようになっており、芯筒部１９ａの周面に受止部片２０，…を突設し、該受止部片２０，２０間に係合する係止部片２１，…を供給リール２２の内周面に列設してある。
【００２０】
供給リール２２は、一対の部材を互いに組付けて構成し、主体筒部２２ａの両端に鍔部片２２ｂ，２２ｂを設けたボビン体の主体筒部２２ａに前記転写テープａを巻き付けて成り、主体筒部２２ａ内側には、前記の通り、係止部片２１，…を設けて構成し、前記転写テープａの先端に中央部片１４ｂと前記一対の脚部片１４ａ，１４ａとで成るコ形状の前記取付け片１４を一方の脚部片１４ａにおいて取付けてある。
【００２１】
なお、前記駆動歯車１７に爪部片２３を設け、該爪部片２３を前記基枠１に設けたラチェット歯２４に係止するようにして一方方向へのみ回動するようにしてある。
【００２２】
また、駆動歯車１７のボス部１７ａの前記第二支軸４を被装する先端面に係止溝２６を設け、該係止溝２６に、基枠１に組付ける蓋枠２の窓口２７を通じて操作材を係止させて駆動歯車１７を回動させることにより、転写テープａの緩みを補正できるようにしてある。
【００２３】
しかして、供給リール２２を主体筒部２２ａにおいて芯材１９の芯筒部１９ａ、すなわち、駆動歯車１７のボス部１７ａに係合し、供給リール２２より導出した転写テープａの先端に備えた取付け片１４を脚部片１４ａにおいて巻取りリール７の受入凹部１３に係合して、図６の矢印方向に転写ヘッド１０を押圧すると、該転写ヘッド１０を設けた回動片９は回動し、テープａの中間部を押圧して３６０°回動して原位置に戻る。この状態にした後、基枠１に蓋枠２を組付けて塗布膜の転写操作を行うのである。
【００２４】
該転写操作は、被転写面に塗布膜転写テープａを介して転写ヘッド１０の押圧片１５の先端端縁１５ａを接触させて、該先端縁１５（塗布膜転写具）を移動させると、いわば、先端縁１５ａの塗布膜転写テープａ上の移動によって、塗布膜転写テープａは供給リール２２から繰り出され被転写面に対する塗布膜の転写が行われる。この操作時に、テープａの繰り出しにより駆動歯車１７は回動し、仲介歯車１８を介して従動歯車６が回動し、従動歯車６は巻取りリール７を共通にしてあるため、前記テープａの転写済の部分を巻き取るのである。
【００２５】
そして、押圧片１５の先端縁１５ａと供給リール２２間の転写テープａ部分は、先端縁１５ａ部がテープａを引き出す関係にあるからテンションがかかり緩みが生じないが、先端縁１５ａと巻取りリール７間にはテンションが必ずしもかからず、従って、その間に緩みが生じ、この緩みによる転写済テープ部分の転写ヘッド１０からの外れを案内片１６，１６が可及的に防ぐのである。
【００２６】
巻取りリール７側に転写済のテープを巻き取らせ、供給リール２２側の転写テープが尽きたとき蓋枠２を基枠１より取り外し、供給リール２２と共に、巻取りリール７に巻き付けた転写済のテープを取付け片１４と一緒に取外し、再び、先に示した順序で、新たな転写テープを装填するのである。
【００２７】
なお、蓋枠２を基枠１に組付けることにより、転写ヘッド１０の、巻取りリール７のテープ巻取り方向への回動は、回動片９が蓋枠２に係止して規制される。
【００２８】
なお、実施例の転写具は、従来のように供給リール（コア）および巻取りリール（コア）の一対一組のリール（コア）を必要としないでスペア用としての塗布膜転写テープを保持することができ、材料の低減を図れ、転写テープの保管持ち運び上好適なものとしてある。
【００２９】
殊に、取付け片を巻取りリールに組付けて、供給リールと巻取りリール間に転写テープを張設後、転写ヘッドを３６０°回動させるだけで該転写ヘッドを転写操作可能位置に配することができるから、転写テープの交換作業の簡単なものとなっている。
【００３０】
【発明の効果】
本発明は前記の通りの構成であるから、塗布膜転写テープが外れることをできるだけ防ぐことのできる転写ヘッドを提供できる。
【図面の簡単な説明】
【図１】一部欠截正面図。
【図２】図１の一部拡大図。
【図３】転写ヘッドの正面図。
【図４】図３のｘ−ｘ線断面図。
【図５】図１の断面図。
【図６】供給リールを組付ける前の一部の欠截正面図。
【図７】転写ヘッドと芯材を取り外して示した一部欠截正面図。
【図８】転写テープと供給リールの関係を示す斜視図。
【符号の説明】
７        巻取りリール
１０      塗布膜転写ヘッド
１５      押圧片
１５ａ    先端縁
１６      案内片
１６ａ    先端
【図１】
0004279397.tif 000002
【図２】
0004279397.tif 000003
【図３】
0004279397.tif 000004
【図４】
0004279397.tif 000005
【図５】
0004279397.tif 000006
【図６】
0004279397.tif 000007
【図７】
0004279397.tif 000008
【図８】
0004279397.tif 000009